(57)【特許請求の範囲】
【請求項１】
ヘッドレストの支持棒をシートバックの枠体に高さ調節可能に支持するヘッドレストの高さ調節装置であって、前記ヘッドレストの支持棒を挿入する支持筒を有するポールガイド本体と、該ポールガイド本体内に前記支持筒の軸線と直交する平面内において伸縮動作し、その自由端部が前記支持棒の切欠に係止して該支持棒の軸方向移動を規制するＵ字状の係止バネと、該係止バネを規制解除方向に動作させる操作ノブとを備えて構成されたヘッドレストの高さ調節装置において、前記ポールガイド本体には、前記操作ノブを前記支持筒の軸線と直交する方向に進退可能に嵌挿するスライド溝が形成される一方、前記操作ノブには、その進退方向と直交する両側にあって前記ポールガイド本体のスライド溝に嵌挿されるスライド部と、前記ポールガイド本体に形成された係合部に対して嵌挿状態において係合されて抜け止め作用を行う抜け止め部と、前記係止バネの固定端部の先端が係入される係入溝と、前記係止バネの自由端部が係止される係止部とが形成されており、前記係止バネにおける固定端部の開放端には、前記スライド溝の入口側へ向かって延びるＬ字状折曲部が一体に形成され、前記操作ノブの下面には、前記係入溝から先端に向かって形成され且つ前記Ｌ字状折曲部をガイドするガイド溝が形成されていることを特徴とするヘッドレストの高さ調節装置。
【請求項２】
前記係止部の近傍には、操作ノブによる係止解除時において前記係止バネの自由端部を面で押圧する押圧部が形成されていることを特徴とする前記請求項１記載のヘッドレストの高さ調節装置。
【発明の詳細な説明】
【０００１】
【発明の属する技術分野】
【０００２】
本願発明は、自動車のシートバックに取り付けられるヘッドレストの高さを調節するヘッドレストの高さ調節装置に関するものである。
【従来の技術】
【０００３】
自動車のシートバックには、乗員の頭部を保護する目的からヘッドレストが取り付けられるが、該ヘッドレストの位置は、乗員の座高に応じて高さ調節する必要がある。
【０００４】
そこで、ヘッドレストの支持棒を、シートバックの枠体に取り付けられたポールガイドに対して挿入支持するとともに、このポールガイドには、前記支持棒を所望の高さに調節支持する高さ調節装置が設けられることとなっている。
【０００５】
上記高さ調節装置としては、従来から種々提案されており、例えば実開昭５６ー２５５５５号公報に開示されているように、ヘッドレストの支持棒を挿入する支持筒を有するポールガイド本体と、前記支持棒に形成された切欠に係止される係止部材と、該係止部材を係止方向あるいは係止解除方向に動作させる操作部材とを備えて構成されたものがある。
【発明が解決しようとする課題】
【０００６】
ところが、従来の高さ調節装置の場合、ポールガイド本体、係止部材、操作部材およびリターンスプリングの４個の部材が最低でも必要となるところから、部品点数が多くなるとともに、各部材を個々に組み付けなければならないという不具合があった。
【０００７】
本願発明は、上記の点に鑑みてなされたもので、部品点数が少なく、組付作業性にも優れた高さ調節装置を提供すること目的とするものである。
【課題を解決するための手段】
【０００８】
本願発明の基本構成では、上記課題を解決するための手段として、ヘッドレストの支持棒をシートバックの枠体に高さ調節可能に支持するヘッドレストの高さ調節装置において、前記ヘッドレストの支持棒を挿入する支持筒を有するポールガイド本体と、該ポールガイド本体内に前記支持筒の軸線と直交する平面内において伸縮動作し、その自由端部が前記支持棒の切欠に係止して該支持棒の軸方向移動を規制するＵ字状の係止バネと、該係止バネを規制解除方向に動作させる操作ノブとを備えて構成したヘッドレストの高さ調節装置において、前記ポールガイド本体に、前記操作ノブを前記支持筒の軸線と直交する方向に進退可能に嵌挿するスライド溝を形成する一方、前記操作ノブに、その進退方向と直交する両側にあって前記ポールガイド本体のスライド溝に嵌挿されるスライド部と、前記ポールガイド本体に形成された係合部に対して嵌挿状態において係合されて抜け止め作用を行う抜け止め部と、前記係止バネの固定端部の先端が係入される係入溝と、前記係止バネの自由端部が係止される係止部とを形成するとともに、前記係止バネにおける固定端部の先端を、前記スライド溝の入口側へ向かって延びるＬ字状折曲部とする一方、前記操作ノブの下面に、前記係入溝から先端に向かって形成され且つ前記Ｌ字状折曲部をガイドするガイド溝を形成して、部品点数の低減と組付作業性の向上とを図り得るようにするとともに、係止バネを操作ノブに安定した状態で仮組付することができるようにしている。
【０００９】
本願発明の基本構成において、前記係止部の近傍に、操作ノブによる係止解除時において前記係止バネの自由端部を面で押圧する押圧部を形成した場合、係止バネ自由端部の係止解除方向への変形を押圧部の面押圧により行い得ることとなり、係止解除動作が確実且つ円滑に行うことができる点で好ましい。
【発明の実施の形態】
【００１０】
以下、添付の図面を参照して、本願発明の幾つかの好適な実施の形態について詳述する。
【００１１】
第１の実施の形態
図１ないし図９には、本願発明の第１の実施の形態にかかるヘッドレストの高さ調節装置が示されている。
【００１２】
このヘッドレストの高さ調節装置は、図１および図２に示すように、ヘッドレスト１の支持棒２をシートバック３の枠体に高さ調節可能に支持するものであり、前記ヘッドレスト１の支持棒２を挿入する支持筒５を有するポールガイド本体４と、該ポールガイド本体４内に前記支持筒５の軸線と直交する平面内において伸縮動作し、その自由端部７ａが前記支持棒２の切欠６に係止して該支持棒２の軸方向移動を規制するＵ字状の係止バネ７と、該係止バネ７を規制解除方向に動作させる操作ノブ８とを備えて構成されている。
【００１３】
前記ポールガイド本体４は、前記支持筒５の上端に形成された略矩形状部材とされており、その内部には、前記操作ノブ８を前記支持筒５の軸線と直交する方向に進退可能に嵌挿するスライド溝９がその開口部を一側に開放させた状態で形成されている。また、該スライド溝９の上壁９ａは、左右両側にのみ存在しており、該上壁９ｂの中間部には、前記支持棒２を挿入するための挿入穴１１の一部を有する受け板１０が前記上壁９ａより所定寸法だけ段落ちした状態で一体に突設されている。該受け板１０の適所には、後に詳述するように、前記操作ノブ８の抜け止めを行うための係合部となる係合穴１２が形成されている。さらに、前記スライド溝９の内奥部には、前記係止バネ７を挿入するための挿入溝１３（図３、図７および図８参照）が連続して形成されている。該挿入溝１３には、係止バネ７が固定端部７ｂを奥側に位置させた状態で挿入されるが、その一方側には、係止バネ７の固定端部７ｂの開放端側が臨むとともに、後述するスライド部１５が侵入し得るスペースＳ（図６参照）が連続して形成されている。
【００１４】
一方、前記操作ノブ８は、その進退方向と直交する両側にあって前記ポールガイド本体４のスライド溝９に嵌挿されるスライド部１４，１５と、前記スライド溝９の上壁９ａ，９ａ間において前記受け板１０の上面に沿って挿入されるカバー部１６とを有している。該カバー部１６の先端側中央部には、操作ノブ８の係止解除方向への動作を許容すべく前記支持棒２を挿入可能な円弧状の切欠凹部１６ａが形成されている。なお、操作ノブ８の上面および前面は、操作ノブ８の嵌挿時においてポールガイド本体４の上面および前面と面一とされることとなっている。つまり、ポールガイド本体４と操作ノブ８とは、組み付けた状態においては外観上１個の部材と見なされることとなるのである。また、この操作ノブ８には、前記ポールガイド本体４の係合穴１２に対して嵌挿状態において係合されて抜け止め作用を行う抜け止め部として作用するフック１７が挿入方向に一体に突設されている。なお、係合穴１２は、操作ノブ８のスライド方向に長い長穴とされており、これにより、操作ノブ８の係止解除方向へのスライドが可能となっているのである。
【００１５】
前記スライド部１４，１５のうちの一方（即ち、スライド部１４）より他方（即ち、スライド部１５の方が長く形成されている。一方、前記係止バネ７の固定端部７ａの開放端には、前記スライド溝９の入口側へ向かって延びるＬ字状折曲部７ｃが一体に延設されている。
【００１６】
そして、長い方のスライド部１５には、前記係止バネ７の固定端部７ａの先端（即ち、Ｌ字状折曲部７ｃの端部）が係入される係入溝１８が上下に貫通して形成されている。該係入溝１８は、操作ノブ８のスライド方向に長い長穴とされており、これにより、操作ノブ８の係止解除方向へのスライドが可能となっているのである。また、このスライド部１５の先端部には、前記係止バネ７の自由端部７ａが係止される段部状の係止部１９が形成されている。さらに、該係止部１９の近傍には、操作ノブ８による係止解除時において前記係止バネ７の自由端部７ａを面で押圧する押圧部２０が一体に形成されている。さらにまた、前記スライド部１５の下面には、前記係入溝１８から先端に向かって形成され且つ前記係止バネ７のＬ字状折曲部７ｃをガイドするガイド溝２１が形成されている。
【００１７】
上記構成の高さ調節装置を組み立てるには、図２に示すように、操作ノブ８の係入溝１８に係止バネ７のＬ字状折曲部７ｃの端部を下方から挿入する一方、係止バネ７の自由端部７ａを点線図示のように撓めて操作ノブ８の係止部１９に係止する。すると、操作ノブ８に対して係止バネ７が仮組付されることとなる。この時、係止バネ７のＬ字状折曲部７ｃは、スライド部１５の下面に形成されたガイド溝２１に挿入されることなり、係止バネ７は安定した状態で操作ノブ８に仮組付されることとなるのである。
【００１８】
そこで、操作ノブ８のスライド部１４，１５をポールガイド本体４のスライド溝９に嵌挿すると、係止バネ７は、スライド溝９の内奥に形成された挿入溝１３に挿入されるとともに、操作ノブ８のフック１７がポールガイド本体４側の係合穴１２に係合せしめられることとなる（図３および図８参照）。つまり、操作ノブ８は、係止バネ７に付勢された状態でポールガイド本体４に組み付けられ、しかも係止バネ７の自由端部７ａはヘッドレスト支持棒２の切欠６に係止され、支持棒２（即ち、ヘッドレスト１）の軸方向移動が規制されることとなる。つまり、操作ノブ８と係止バネ７とを仮組付したものをポールガイド本体４のスライド溝９に嵌挿させるだけで高さ調節装置の組付が完了することとなり、部品点数も少なくてすむとともに、組付作業性が向上することとなる。
【００１９】
ところで、ヘッドレスト１の高さを調節しようとする場合には、操作ノブ８を図３に矢印Ｐで示す方向に押圧する。すると、操作ノブ８におけるスライド部１５先端部に形成された係止部１９により係止バネ７の自由端部７ａが内方に押圧されてヘッドレスト支持棒２の切欠６から離脱せしめられる（図４参照）。従って、ヘッドレスト支持棒２は軸方向に移動可能となり、高さ調節が自由に行えることとなる。この係止解除動作時においては、係止バネ７の自由端部７ａは、図４に示すように、内方に向かって傾斜せしめられるが、前記係止部１９の近傍に形成された押圧部２０により面で押圧されることとなる。従って、係止バネ７の自由端部７ａの弾性変形が確実且つ円滑に行われることとなる。
【００２０】
第２の実施の形態
図１０および図１１には、本願発明の第２の実施の形態にかかるヘッドレストの高さ調節装置が示されている。
【００２１】
この場合、操作ノブ８の抜け止めを行う係合部１２はポールガイド本体４側の受け板１０の中央部に形成されたフックとされる一方、前記係合部１２が係合される抜け止め部１７は操作ノブ８側のカバー部１６の内面に形成された凹部とされている。該凹部１７は、操作ノブ８の係止解除方向へのスライドが可能なように操作ノブ進退方向に長く形成されている。また、支持棒２を挿入するための挿入穴１１は、ポールガイド本体４の上面に貫通しており、完全な円形穴とされている。このことにより、支持棒２の支持剛性が強化されることとなる。その他の構成および作用効果は第１の実施の形態と同様なので説明を省略する。
【発明の効果】
【００２２】
本願発明によれば、ヘッドレストの高さ調節装置を、ヘッドレストの支持棒を挿入する支持筒を有するポールガイド本体と、該ポールガイド本体内に前記支持筒の軸線と直交する平面内において伸縮動作してその自由端部が前記支持棒の切欠に係止して該支持棒の軸方向移動を規制するＵ字状の係止バネと、該係止バネを規制解除方向に動作させる操作ノブとを備えて構成して、部品点数を最小限に抑えるとともに、前記ポールガイド本体に係止されたスライド溝に操作ノブのスライド部を嵌挿するようにし、且つ操作ノブに前記係止バネを仮組付した状態でポールガイド本体に組み付けるようにしたので、部品点数の低減と組付作業性の向上とコストダウンとを図り得るという優れた効果がある。
【００２３】
また、前記係止バネにおける固定端部の先端を、前記スライド溝の入口側へ向かって延びるＬ字状折曲部とする一方、前記操作ノブの下面に、前記係入溝から先端に向かって形成され且つ前記Ｌ字状折曲部をガイドするガイド溝を形成しているので、係止バネを操作ノブに安定した状態で仮組付することができるという効果がある。
【図面の簡単な説明】
【００２４】
【図１】  本願発明の第１の実施の形態にかかるヘッドレストの高さ調節装置の斜視図である。
【図２】  本願発明の第１の実施の形態にかかるヘッドレストの高さ調節装置の分解斜視図である。
【図３】  本願発明の第１の実施の形態にかかるヘッドレストの高さ調節装置の平面図である。
【図４】  本願発明の第１の実施の形態にかかるヘッドレストの高さ調節装置の係止解除状態を示す平面図である。
【図５】  図３のＶ−Ｖ拡大断面図である。
【図６】  図３のＶＩ−ＶＩ拡大断面図である。
【図７】  図３のＶＩＩ−ＶＩＩ拡大断面図である。
【図８】  図３のＶＩＩＩ−ＶＩＩＩ拡大断面図である。
【図９】  図３のＩＸ−ＩＸ拡大断面図である。
【図１０】  本願発明の第２の実施の形態にかかるヘッドレストの高さ調節装置の分解斜視図である。
【図１１】  本願発明の第２の実施の形態にかかるヘッドレストの高さ調節装置の平面図である。
【符号の説明】
【００２５】
１はヘッドレスト、２は支持棒、３はシートバック、４はポールガイド本体、５は支持筒、６は切欠、７は係止バネ、７ａは自由端部、７ｂは固定端部、７ｃはＬ字状折曲部、８は操作ノブ、９はスライド溝、１２は係合部、１４，１５はスライド部、１７は抜け止め部、１８は係入溝、１９は係止部、２０は押圧部、２１はガイド溝。
【図１】
0003682100.tif 000002
【図２】
0003682100.tif 000003
【図３】
0003682100.tif 000004
【図４】
0003682100.tif 000005
【図５】
0003682100.tif 000006
【図６】
0003682100.tif 000007
【図７】
0003682100.tif 000008
【図８】
0003682100.tif 000009
【図９】
0003682100.tif 000010
【図１０】
0003682100.tif 000011
【図１１】
0003682100.tif 000012